(57)【特許請求の範囲】
【請求項１】
上面が開口して内側に収納空間を提供し、底面の後方が前方に比べてより低く設けられたボディ部と、
前記ボディ部内に収納される電源供給部、通信制御部、及びアンテナ部と、
前記ボディ部の底面前方に結合される多数の照明部と、
前記ボディ部の底面の後方に結合されるカメラ部と、
前記ボディ部の上面に一端がヒンジ結合されて開閉が可能であり、一部が上部に突出し、前記アンテナ部が突出した状態で収納できるようにするアンテナカバー部を備えるカバー部と、
前記ボディ部の底面に結合されるスピーカー部と、を含み、
前記照明部と前記カメラ部は、
前記ボディ部に係合され、前記ボディ部の結合面と平行な方向に回転可能な回転部と、
前記ボディ部と回転部との間で電源を接続し、前記回転部の回転程度に関わらず、電極間の接線によって電源が供給できるようにする電源接続部と、によってチルト及び回転をすることを特徴とするカメラ一体型エルイーディー照明装置。
【請求項２】
前記カバー部は上面に多数の結合溝が設けられ、底面に前記カバー部の結合溝に挿入固定される多数の挿入突出部を備え、前記カバー部を覆うシールドカバー部をさらに含む請求項１に記載のカメラ一体型エルイーディー照明装置。
【請求項３】
前記シールドカバー部は、上面が曲面であることを特徴とする請求項２に記載のカメラ一体型エルイーディー照明装置。
【請求項４】
前記電源接続部は、
前記ボディ部に内蔵され、中心電極と中心電極から所定距離で離間して位置するバネ電極を前記ボディ部に設けられた開口部を介して露出させる第１の基板と、
前記回転部に設けられ、前記回転部がボディ部に係合された状態で、前記中心電極に接する電極ピンと、前記電極ピンを中心に前記中心電極と前記バネ電極との間の距離ほど離間して前記バネ電極に接するリング状電極を含む第２の基板と、を含む請求項１に記載のカメラ一体型エルイーディー照明装置。
【請求項５】
前記ボディ部に係合され、相対部材に対して回転して結合されるようにねじ部を提供する鍔と、
前記回転部を前記鍔に係合する軸継手をさらに含む請求項４に記載のカメラ一体型エルイーディー照明装置。
【請求項６】
前記回転部に係合され、前記ボディ部の結合面と垂直の方向にチルトするチルト部と、
前記チルト部の底面に係合され、光を発散する光モジュール部と、をさらに含む請求項５に記載のカメラ一体型エルイーディー照明装置。
【請求項７】
回転部は、
前記第２の基板が結合される締結孔と、
前記締結孔と連通して電線が延びるようにし、前記チルト部が係合される第１のチルトアームと、
前記チルトアームの上部側外面に突出して前記軸継手の締付力が伝達される段顎部と、を含む請求項６に記載の回転及びチルトが可能なエルイーディー照明装置。
【請求項８】
チルト部は、
前記第１のチルトアームに係合され、ボルトの締結程度によってチルトが可能であり、内側に前記電線が延びるスペースが設けられた第２のチルトアームと、
前記第２のチルトアームの下部に設けられ、前記光モジュール部の上部が底面に結合される安着部と、
前記第２チルトアームと前記安着部との間を貫通して設けられ、前記電線が前記光モジュール部に接続できるようにする第２の電線連結孔と、を含む請求項７に記載の回転及びチルトが可能なエルイーディー照明装置。 
【発明の詳細な説明】
【技術分野】
【０００１】
本発明は、カメラ一体型エルイーディー照明装置に関し、照明部及びカメラの角度を任意に調整することができ、集積化が容易であることから照明装置のサイズをより小型にできるカメラ一体型エルイーディー照明装置に関する。
【背景技術】
【０００２】
一般的に、エルイーディーは、既存の照明に比べて寿命が長く、消費電力を低く押さえられるという特徴があり、最近では街灯、室内灯などの従来の照明を代替できる製品として開発されている。
【０００３】
特に単純な照明機能に留まることから脱し、通信中継、交通状況の判断機能、セキュリティ機能などを追加するための努力が行われている。しかし、通信の中継のためには照明装置を構成する金属パネル、またはエルイーディーから発生する熱を放出するための金属放熱フィンなどが通信信号の伝達に妨げになるため、アンテナが照明装置の外部へ突き出ざるを得ない構造であった。例えば、韓国登録特許１０−０８５１２３３号は、ＲＦ信号の受信のためのアンテナが外部に突き出た構造である。
【０００４】
このように外部に突き出たアンテナは、弱い力でも壊れやすく、簡単に汚染されて性能が低下するという問題があった。
【０００５】
【０００６】
また、最近、韓国環境省からは、「人工照明による光害防止法」が２０１３年２月１日付で施行された。主な内容は、人工照明の誤・乱用から国民の健康を守り、生態系への危害を予防のためのものであり、建築物の照明と電光掲示板、各種基盤施設の照明の光放射許可基準を定め、過度の光と侵入光を管理するためのものである。
【０００７】
これは、夜間に都市基盤施設の照明、建築物の照明、電光板などからの光が周囲の建物内に侵入する侵入光が発生しないようにするためには、道路の街灯や他の照明は、光放射許容基準を守らなければならないとともに、光放射の方向である配光の調整が必要である。
【０００８】
【０００９】
従来のエルイーディーを利用した照明の配光については、韓国公開特許１０−２０１１―０１０８２６９のように照明モジュールの配光を広げる構造に関する発明であったり、韓国登録特許１０―０９６１６７６号のようにレンズを使用して配光を調節する方法について提案した発明がある。
【００１０】
しかし、照明モジュールの配光を広げる構造は、その配光面積の増加に伴って浸透光が増加することによる光害加重の問題点があり、レンズを使用して配光を調節する技術は、レンズの使用により光効率が低下することがあり、必要に応じて適切なレンズに代替することの不便さと、各照明に合わせたレンズ作りをしなければならないという問題点が予想される。
【００１１】
【００１２】
なお、カメラに装着する従来のエルイーディー照明装置は、韓国登録特許１０−１０８３６０６号などのようにエルイーディーモジュールの内側にカメラモジュールを設置する方式を使用したが、これはエルイーディーから放出される光によって実際の撮影領域の撮
影及び認識が難しくなるという問題点があった。つまり、エルイーディーから放出した光が撮影領域で反射することで光がカメラに撮り込まれなければならないが、エルイーディーの光が直接カメラに撮りこまれるという問題が予想される。
【００１３】
【００１４】
そして、従来のエルイーディー照明装置は通常、定電源を供給する電源供給部材が照明部とは別の空間に設けられるが、これがエルイーディー照明装置の小型化を妨げ、設置及びメンテナンスを困難にするという問題を引き起こす。
【発明の概要】
【発明が解決しようとする課題】
【００１５】
前記のような問題点を勘案し、本発明が解決しようとする技術的課題は、小型化を容易にし、メンテナンスが容易なカメラ一体型エルイーディー照明装置を提供することにある。
【００１６】
また、本発明が解決しようとする他の課題は、アンテナが外部に突き出ないようにし、外部環境の要因から本体を保護できるカメラ一体型エルイーディー照明装置を提供することにある。
【００１７】
なお、この発明が解決しようとするもう一つの課題は、照明部の角度調整を容易にし、任意の配光が可能になるようにすることで、照明部の光がカメラに直接入射することを防止できるカメラ一体型エルイーディー照明装置を提供することにある。
【課題を解決するための手段】
【００１８】
前記のような課題を解決するための本発明のカメラ一体型エルイーディー照明装置は、上面が開口して内側に収納空間を提供し、底面の後方が前方に比べてより低く設けられたボディ部と、前記ボディ部内に収納される電源供給部、通信制御部及びアンテナ部と、前記ボディ部の底面前方に結合される多数の照明部と、前記ボディ部の底面後方に結合されるカメラ部と、前記ボディ部の上面に一端がヒンジ結合されて開閉が可能となり、一部が上部へ突出して前記アンテナ部が突出した状態で収納できるようにするアンテナカバー部を備えるカバー部と、前記ボディ部の底面に結合されるスピーカー部を含む。
【発明の効果】
【００１９】
本発明のカメラ一体型エルイーディー照明装置は、ボディ部の上部に照明部に対して定電源を供給する電源供給部、通信制御部、そしてアンテナを実装することで、小型化が可能になるという効果があり、前記ボディ部の上部を非金属材質のカバー部で覆い、前記ボディに内蔵されたアンテナを介したデータの送受信を可能にすることで、アンテナの露出に伴う問題点を解消できるという効果がある。
【００２０】
また、本発明のカメラ一体型エルイーディー照明装置は、前記カバー部の上部において前記カバー部に比べてより大きくすることで雨や埃などの外部要因から装置を保護するようにし、装置の信頼性を向上できるという効果がある。
【００２１】
なお、前記ボディ部の照明結合部に結合される照明部がそれぞれの配光を調節することができ、照明装置の設置位置に関わらず任意に配光の調節が可能であり、周辺の建物内に浸透する浸透光が発生しないように制御できるという効果がある。
【００２２】
つまり、本発明は設置者が任意に配光を調節することが可能であることから、照明が必要な領域と照明が不要な領域を区別して明りを照らすことで、光害の発生を防止できるという効果がある。
【００２３】
また、照明部におけるそれぞれの配光を任意に調節可能でありながらも、カメラの設置面と照明部の設置面とで高低の段差を置き、照明の配光制御角度に関係なく照明部の光が直接カメラに入り込むのを防止できるという効果がある。
【図面の簡単な説明】
【００２４】
図１は、本発明の望ましい実施例によるカメラ一体型エルイーディー照明装置の一部分解斜視図である。
【００２５】
図２は、図１の底面側斜視図である。
【００２６】
図３は、図１の結合状態の側面図である。
【００２７】
図４は、図１の結合状態の正面図である。  
【００２８】
図５は、図１の結合状態の斜視図である。
【００２９】
図６は、本発明に適用される照明部の分解斜視図である。
【００３０】
図７は、図６の結合状態の断面構成図である。
【００３１】
図８は、第１の基板の一実施例を示す構成図である。
【００３２】
図９は、回転部とチルト部の詳細な断面構成図である。
【００３３】
図１０は、光モジュール部の一実施例を示す断面構成図である。
【００３４】
- 符号の説明 -
【００３５】
１００：ボディ部            １１０：電源供給
【００３６】
１２０：通信制御部          １３０：第１のアンテナ部
【００３７】
１４０：第２のアンテナ部    １５０：ヒンジ部
【００３８】
１６０：ロック部材          ２００：カバー部  
【００３９】
２１０：アンテナカバー部    ２２０：結合溝
【００４０】
２３０：ロック部            ２４０：結合溝
【００４１】
３００：シールドカバー部    ３１０：締結突出部
【００４２】
４００：照明部              １０１：開口部
【００４３】
１０２：中心電極            １０３：第１の基板
【００４４】
１０４：バネ電極            １０５、１０６：配線部
【００４５】
２４１：パッキン            ４３０：鍔
【００４６】
４４０：回転部              ４４１：第１のチルトアーム
【００４７】
４４２：段顎部              ４４３：締結孔
【００４８】
４４４：Oリング            ４４５：第１の電線連結孔
【００４９】
４４６：締結孔              ４４７：ボルト
【００５０】
４４８：第１のチルト中心部  ４５０：軸継手
【００５１】
４６０：第２の基板          ４６１：電極ピン
【００５２】
４６２：リング状電極        ４７０：チルト部
【００５３】
４７１：第２のチルトアーム  ４７２：締結孔
【００５４】
４７３：第２のチルト中心部  ４７４：安着部
【００５５】
４７５：第２の電線連結孔    ４８０：光モジュール部
【００５６】
４８１：縦型カバー部        ４８２：第３の基板
【００５７】
４８３：エルイーディー      ４８４：放熱フィン
【００５８】
５００：カメラ部            ６００：スピーカー部
【００５９】
【発明を実施するための形態】
【００６０】
以下、本発明のカメラ一体型エルイーディー照明装置について添付した図面を参照しながら詳しく説明する。
【００６１】
【００６２】
図１は、本発明の望ましい実施例によるカメラ一体型エルイーディー照明装置の一部分解斜視図であり、図２は、図１の底面側斜視図であり、図３は、図１の結合状態の側面図であり、図４は、図１の結合状態の正面図であり、図５は、図１の結合状態の斜視図である。
【００６３】
図１ないし図５をそれぞれ参照すると、本発明の望ましい実施例によるカメラ一体型エルイーディー照明装置は、
【００６４】
上面が開口して収納空間を提供するボディ部１００と、前記ボディ部１００に収納される電源部１１０、通信制御部１２０、第１及び第２のアンテナ部１３０、１４０と、前記ボディ部１００の上部にヒンジ部１５０によって締結されて開閉可能であり、ロック部２３０を含み、前記ボディ部１００の前面側のロック部材１６０を掛けて固定することができるカバー部２００と、前記カバー部２００の一部から上部側に突出した収納空間を提供し、前記第１及び第２のアンテナ部１３０、１４０が、前記カバー部２００の他の部分よりも高く位置できるようにするアンテナカバー部２１０と、前記カバー部２１０の上面に設けられた結合溝２２０に挿入される挿入突出部３１０が設けられ、水分が入り込むのを防止するシールドカバー部３００と、前記ボディ部１００の底面側に結合され、前記通信
制御部１２０を介して受信された音声信号を再生するスピーカー部６００と、前記ボディ部１００の底面の一部に結合され、回動とチルトが可能な多数の照明部４００と、前記照明部４００の後端の前記ボディ部１００底面に結合され、周辺の映像を撮影して前記通信制御部１２０を介して伝送するカメラ部５００を含んで構成される。
【００６５】
【００６６】
以下、前記のように構成された本発明の望ましい実施例によるカメラ一体型エルイーディー照明装置の構成と作用をより詳しく説明する。
【００６７】
【００６８】
まず、ボディ部１００の形状は、底面が前面部と後面部とで高さが異なるようにする。前記前面部には、前記複数の照明部４００が結合され、後面部にはカメラ部５００が結合され、前記ボディ部１００の段差は、カメラ部５００の結合面が前記照明部４００の結合面に比べてより低い位置に位置することを特徴とする。
【００６９】
このようなボディ部１００の底面段差は、カメラ部５００から撮影された映像が、前記照明部４００によって干渉されないようにするためのものであり、通常、面一に設置されたカメラ部５００に照明部４００の直光が入り込むのを防止するためには、カメラ部５００と照明部４００との間に十分な距離を設けなければならないが、本発明では、カメラ部５００の設置面と照明部４００の設置面とで高さが異なるようにして照明部４００の直光がカメラ部５００に入り込むのを防止できることで集積度の向上を図る。
【００７０】
【００７１】
前記ボディ部１００は、上面が開口されたものであり、底面には多数の結合孔が設けられ、前記照明部４００とカメラ部５００のブラケットが締結される。
【００７２】
【００７３】
前記ボディ部１００の内側には、電源供給部１１０と、第１及び第２のアンテナ部１３０、１４０、そして通信制御部１２０が実装されており、この他、各種必要な部品が一体として収納されており、この時の配置は、前記第１及び第２のアンテナ部１３０、１４０と通信制御部１２０が前面方向に位置し、電源供給部１１０が後面方向に位置することが望ましい。
【００７４】
これは、第１及び第２のアンテナ部１３０、１４０の円滑な動作のためにも必要であり、熱源である電源供給部１１０を照明部４００から分離するためである。
【００７５】
【００７６】
前記ボディ部１００の上面には、カバー部２００がヒンジ部１５０を介して結合され、開閉可能な構成が備えられる。このように、カバー部２００を容易に開閉できるようにすることで、メンテナンスが容易になる。
【００７７】
前記カバー部２００の前面側にはロック部２３０が設けられ、ボディ部１００の前面側から提供されるロック部材１６０を掛けて固定することができる。
【００７８】
前記ボディ部１００の上面端はカバー部２００の底面内側に設けられた結合溝２４０に挿入されて強固に結合され、特にその結合溝２４０内にパッキン２４１を具備することで異物の混入を防止し、特に水分の浸透を防止することができる。
【００７９】
【００８０】
前記カバー部２００に備えられたアンテナカバー部２１０は、カバー部２００の他の面
に比べて上方に突出して内部に空間が形成され、第１及び第２のアンテナ部１３０、１４０を収納する。
【００８１】
前記ボディ部１００の材質は、剛性の維持のために金属材であり、前記カバー部２００は樹脂材にすることで、通信信号がスムーズに送受信できるが、通信信号をより完全に処理するために、前記第１及び第２のアンテナ部１３０、１４０は、電源供給部１１０などの他の構成要素に比べてより高く位置する必要があり、その第１及び第２のアンテナ部１３０、１４０を保護するために前記カバー部２００にアンテナカバー部２１０を設ける。
【００８２】
【００８３】
前記カバー部２００の上面には、複数の結合溝２２０が設けられ、前記カバー部２００の上部に結合されるシールドカバー部３００の底面には、前記結合溝２２０に対応する位置に締結突出部３１０が所定の長さで突出し、前記カバー部２００との間では所定の間隔で離間した状態で固定される。
【００８４】
前記シールドカバー部３００は、雨天時の水分がカバー部２００を介して入り込むのを防止するためのものである。このために、シールドカバー部３００の形状は、緩やかな湾曲面を成し、埃などの異物が付着しにくい構造にすることで、付着した異物が雨水によって簡単に流されて除去できる。
【００８５】
【００８６】
前記ボディ部１００の底面前方に位置する照明部４００のそれぞれは、角度の調整が可能で、それぞれが任意に配光を調節することができ、したがって、照明部４００の光が建物の内部に照射されることを防止し、光害発生のおそれがない。
【００８７】
【００８８】
以下では、照明部４００の配光制御と関連し、具体的な構成とその作用についてより詳しく説明する。
【００８９】
【００９０】
図６は、本発明に適用された照明部４００の分解斜視図であり、図７は、図６の結合状態の断面構成図である。
【００９１】
図６及び図７をそれぞれ参照すると、本発明に適用される照明部４００は、前記ボディ部１００に設けられた開口部１０１によって中心電極１０２及びバネ電極１０４が露出する第１基板１０５が備えられ、前記ボディ部１００の開口部１０１の周りに係合され、相対部材に対して回転して係合される鍔４３０と、前記鍔４３０に締結される軸継手４５０
を介して前記鍔に接続する回転部４４０と、前記回転部４４０に係合され、前記第１の基板１０５の中心電極１０２に接する電極ピン４６１と、前記バネ電極１０４ に接するリング状電極４６２とが備えられた第２の基板４６０と、前記回転部４４０から提供される第１のチルトアーム４４１にチルト角が調整された状態で締結する第２のチルトアーム４７１を具備するチルト部４７０と、前記チルト部４７０に係合するエルイーディー光モジュール部４８０と、を含んで構成される。
【００９２】
【００９３】
このように構成される照明部４００の構成と作用をより詳しく説明すると、次の通りである。
【００９４】
まず、前述のボディ部１００の内側には、第１の基板１０３が固定された状態で収納される。
【００９５】
図８は、前記第１の基板１０３の一実施例を示す斜視図である。
【００９６】
図８を参照すると、前記第１の基板１０３は、前記ボディ部１００内に実装された電源供給部１１０から電源が供給されるように配線部１０５、１０６が印刷されたものであり、その配線部１０５、１０６には、それぞれ前記中心電極１０２とバネ電極１０４とが電気的に接続して固定される。
【００９７】
【００９８】
前記中心電極１０２は、前記配線部１０６に比べて突出した構造であり、円筒状を成し、挿入された電極ピン４６１の離脱を防止する。前記バネ電極１０４は、第１の基板１０３から上方へ付勢することでリング状電極４６２に接した状態が維持される。
【００９９】
【０１００】
前記中心電極１０２とバネ電極１０４は、前記開口部１０１の数に応じた数で備えられ、後述の光モジュール部４８０のそれぞれに電源を供給する役割を有する。
【０１０１】
【０１０２】
前記ボディ部１００の開口部１０１には、鍔４３０が係合される。前記鍔４３０の外側に相対部材との回転結合を可能にするネジ部が備えられることが望ましく、さらにボルトによってボディ部１００の開口部１０１上に堅固に固定される。
【０１０３】
【０１０４】
前記鍔４３０には、回転部４４０が軸継手４５０を介して係合される。前記回転部４４０は、前記軸継手４５０の一端が係止し、さらに締付力が加わる段顎部４４２が設けられ、その段顎部４４２を中心に、前記鍔４３０側の一端には締結孔４４３が設けられ、締結孔４４３の反対側には、垂直方向での回転を可能にする第１のチルトアーム４４１が備えられた構成である。前記軸継手４５０は、内径にネジ部が形成され、前記鍔４３０の外面に設けられたねじ部に締結され、その締付力が前述した段顎部４４２に加わるように両端の内径の直径を異なるようにする。
【０１０５】
【０１０６】
前記回転部４４０は、前記軸継手４５０が鍔４３０に緩く締め付けられた状態で、前記ボディ部１００の開口部１０１が形成すた面と水平な方向で回転でき、軸継手４５０をさらに回して鍔４３０に強固に締め付けをした状態では、前記段顎部４４２が鍔４３０に完全に密着して回転不能な状態で固定される。
【０１０７】
【０１０８】
このとき、前記回転部４４０の締結孔４４３には、第２の基板４６０が固定された状態であり、その締結孔４４３の外部へ突出する電極ピン４６１と、その電極ピン４６１を中心に第２の基板４６０の表面上にリング状で印刷されたリング状電極４６２とが設けられる。
【０１０９】
【０１１０】
前記ボディ部１００と回転部４４０との間に備えられる第１の基板１０３と第２の基板４６０とを合わせて電源接続部と称し、前記電源接続部において、前記第２の基板 ４６０のリング状電極４６２は、前述した第１の基板１０３のバネ電極１０４が接し、前記電極ピン４６１は、中心電極１０２に接する。
【０１１１】
前記電源接続部の電極ピン４６１と中心電極１０２は、前記回転部４４０の回転中心で
あるため、回転部４４０を前記ボディ部１００の開口部１０１が形成された面と水平な方向に回転させる場合にそれぞれのその位置がぶれないため、前記軸継手４５０により回転部４４０が鍔４３０に係合された状態では互いが接するようになり、一つ、または、二つ以上に設けられたバネ電極１０４は、前記中心電極１０２から一定の距離で離間したものであり、リング状電極４６２も同様に前記電極ピン４６１を中心に前記バネ電極４２２と中心電極４２１との??間の距離だけ離間したリング状の構造であるため、その回転部４４０の回転状態に関わらず、バネ電極１０４に接することができる。
【０１１２】
【０１１３】
従って、前記回転部４４０を回転自在にさせても、最終的に第１の基板１０３に供給された電力は、第２の基板４６０に円滑に伝達される。
【０１１４】
【０１１５】
前記第２の基板４６０の電極ピン４６１及びリング状電極４６２に供給された電力は、電線４６３を介して光モジュール部４８０に供給される。
【０１１６】
【０１１７】
図９は、前記回転部４４０とチルト部４７０の詳細な断面構成図である。
【０１１８】
図９を参照すると、前記回転部４４０には、前記第２の基板４６０が結合される締結孔４４３において前記第１のチルトアーム４４１を貫通して前記第２の基板４６０に接続される多本の電線４６３が通る第１の電線連結孔４４５が設けられる。また、外面には、Oリング４４４が備えられ、外部からの湿気や水が入り込むのを遮断する。
【０１１９】
また、前記第１のチルトアーム４４１は、ボルト４４７が締結される第１のチルト中心部４４８を除く部分は空洞であり、したがって、第１のチルトアーム４４１の内側に延び、そのチルト中心部４４８を通ってチルト部４７０へ延びることになる。
【０１２０】
前記第１のチルト中心部４４８の中央には、前記ボルト４４７が締結される締結孔４４６が設けられ、その締結孔４４６は、チルト部４７０の第２のチルト中心部４７３の中央に設けられた締結孔４７２と連通しており、そのボルト４４７が緩く締結されている状態では、第１のチルトアーム４４１に対して第２のチルトアーム４７１の前記回転部４４０の回転方向に対して垂直の方向にチルト動作が可能になる。
【０１２１】
前記チルト部４７０の第２のチルトアーム４７１の形状も、前記締結孔４７２が設けられる第２のチルト中心部４７３を除く部分が空いているスペースであり、前記第１のチルトアーム４４１から延びた電線４６３が第２のチルトアーム４７１へ延びる。
【０１２２】
前記第２のチルトアーム４７１の下部には、光モジュール部４８０が結合される安着部４７４が設けられ、前記第２のチルトアーム４７１から前記安着部４７４を貫通する第２電線連結孔４７５を通った前記電線４６３が光モジュール部４８０に接続できるようになる。
【０１２３】
【０１２４】
図１０は、光モジュール部４８０の一実施例の断面構成図である。
【０１２５】
図１０を参照すると、前記光モジュール部４８０は、縦型カバー部４８１と、前記縦型カバー部４８１の内側に固定されて前記電線４６３が接続される第３の基板４８２と、前記第３の基板４８２に備えられ、前記電線４６２を介して電源連結部からの電源が供給されて光を発するエルイーディー４８３と、前記縦型カバー部４８１の外面に備えられた多
数の放熱フィン４８４を含んで構成される。
【０１２６】
【０１２７】
前記縦型カバー部４８１の上面には、前記電線４６３が第３の基板４８２に接続できるように開口部が設けられるが、光モジュール部４８０の具体的な形状によって、本発明が制限されることはない。
【０１２８】
【０１２９】
前記光モジュール部４８０は、前記回転部４４０によってボディ部１００の開口部１０１が形成する面と水平の方向で回転自在であり、その回転部４４０に係合され、前記ボディ部１００の開口部１０１が形成する面に対して垂直の方向にチルトが可能であり、ユーザーが任意に配光を調節することができる。
【０１３０】
前記ボディ部１００は、壁や天井、または支柱に固定設置し得る。
【０１３１】
【０１３２】
前記光モジュール部４８０に設けられたエルイーディー４８３が寿命になったり、一部が破損した場合、または、光モジュール部４８０全体を交換する必要がある場合は、前記軸継手４５０を分解し、鍔４３０から前記回転部４４０下の構造を分離することで新しいものと交換することができる。
【０１３３】
また、第１の基板１０３に異常が発生した場合には、前記カバー部２００を開いて、第１の基板１０３を交換することができる。
【０１３４】
これは、第１の基板１０３と第２の基板４６０である電源接続部が電線によって接続されるのではなく、中心電極１０２と電極ピン４６１との間の接触と、バネ電極１０４とリング状電極４６２との接触によって電源の供給が可能な構造で有することによるものである。
【０１３５】
【０１３６】
このような構成によって、前記照明部４００のそれぞれは、回動及びチルトが可能であり、それぞれの照明領域を調整することができる。
【０１３７】
【０１３８】
前記のような構成の照明部４００の後方で、かつボディ部１００の底面には、スピーカー部６００が結合される。
【０１３９】
前記スピーカー部６００は、１つ以上のスピーカーとそのスピーカーを駆動する駆動部が含まれており、ボディ部１００の底面に結合され、前記第１のアンテナ部１３０または第２のアンテナ部１４０を介して受信された音声信号を再生する。
【０１４０】
【０１４１】
また、カメラ部５００も前記ボディ部１００の底面に結合されて指定された領域を撮影するようになり、この時の結合構造を、前記照明部４００の結合構造と同様にすることでカメラ部５００も回転とチルトが可能になる。
【０１４２】
【０１４３】
このような構成によって、カメラ部５００から撮影された映像は、通信制御部１２０を介して第１のアンテナ部１３０を経て外部に送信することができる。前記第１のアンテナ部１３０は、ＷＩＦＩ送受信用であり、別途用意された管理サーバーに該当カメラ部５０
０から撮影された映像を無線で転送して保存できる。
【０１４４】
前記第２のアンテナ部１４０は、ジグビーZigBeeなどの通信方式を使用して制御信号を送受信できるようにするアンテナとして理解されるはずである。
【０１４５】
【０１４６】
本発明に係るカメラ一体型エルイーディー照明装置は、通常、複数設置され、管理サーバーの制御信号に応じて前記照明部４００の調光を調節するように構成されるか、または、設定された１台のカメラ一体型エルイーディー照明装置において、外部の照度が検出できる照度センサーを付加して照度を検出し、その検出結果を周辺の他の照明装置に転送して該当照明装置の調光を制御することができる。
【０１４７】
これとは異なる方法で設置された本発明による照明装置のそれぞれに照度センサーを付加して調光制御をすることができる。
【０１４８】
【０１４９】
前記図１ないし図５の図面では、説明の便宜上、調光制御や音声出力制御などのためのコントローラの符号を説明したが、このような外部の制御信号または照度検出結果に基づいて調光を制御することは、当業者のレベルで容易に理解され、実施することができる。
【０１５０】
【０１５１】
また、前記管理サーバーから、無線で音声信号を送出する第１のアンテナ部１３０を介して受信し、その受信した音声信号を前記スピーカ部６００のスピーカーを通じて出力して案内放送や警告放送などを実行することができる。
【０１５２】
【０１５３】
本発明は、前記実施例に限定されることがなく、本発明の技術的要旨を逸脱しない範囲内で様々に修正、変形して実施することができることは、本発明が属する技術分野で通常の知識を有する者にとって自明である。
【０１５４】
例えば、前述には、各種信号が無線方式で配信されるものとして記載したが、有線で送受信することができる。
【０１５５】
【産業上の利用可能性】
【０１５６】
本発明は、エルイーディー照明とカメラを一体に製作し、エルイーディー照明の照明光によってカメラで撮影された映像に歪みが発生することを防止することで産業上の利用可能性がある。
【図１】
0006400822.tif 000002
【図２】
0006400822.tif 000003
【図３】
0006400822.tif 000004
【図４】
0006400822.tif 000005
【図５】
0006400822.tif 000006
【図６】
0006400822.tif 000007
【図７】
0006400822.tif 000008
【図８】
0006400822.tif 000009
【図９】
0006400822.tif 000010
【図１０】
0006400822.tif 000011